(57)【要約】【課題】従来の複写帳票付き冊子で、情報を記載する際に下敷き等の挿入を必要としないものであるが、使用する際に広いテーブルを必要としたり、特殊な使用方法であるために使用方法が判り難いという課題があった。【解決手段】一冊の中に、異種の複写帳票部が一端部で複数綴じ合わされた複写帳票付き冊子であって、上部に配置された複写帳票部と下部に配置された複写帳票部の間に非複写帳票部が配置された複写帳票付き冊子を提供する。【選択図】  図１
2009248519.tif 000002
【特許請求の範囲】
【請求項１】
一冊の中に、異種の複写帳票部が一端部で複数綴じ合わされた複写帳票付き冊子であって、
上部に配置された複写帳票部と下部に配置された複写帳票部の間に非複写帳票部が配置されたことを特徴とする複写帳票付き冊子。
【請求項２】
請求項１に記載の複写帳票付き冊子において、
非複写帳票部は、坪量換算で８２ｇ／ｍ2以上の紙５枚以上で構成させたことを特徴とする複写帳票付き冊子。
【請求項３】
請求項１，２何れかに記載の複写帳票付き冊子において、
さらに、複写帳票付き冊子の最下部に坪量１５７ｇ／ｍ2以上の最下紙片を配置させたことを特徴とする複写帳票付き冊子。
【発明の詳細な説明】
【技術分野】
【０００１】
本発明は、異種の複写帳票部が一冊の中に複数綴じ合わされた複写帳票付き冊子に関する。
【背景技術】
【０００２】
近年、契約内容の異なる複数種類の申込書が一冊に綴じ合わされた冊子が多く出回っている。
前述の冊子は、説明書きや告知内容が記載された紙片群の下側に複数の複写帳票形式の申込書が配置された構成になっている。
このような複写帳票付き冊子は、上部に配置された上部複写帳票部に申し込み内容を記載する際に、下部に配置された下部複写帳票部に記載情報が複写されないように、上部複写帳票部の裏側に厚手のプラスチックシートや厚紙を敷いて記載していた。
また、上述の複写帳票付き冊子は、片側の一端で綴じ合わされているために、下部に配置された下部複写帳票部に必要事項を記載すると、帳票が左右にずれてしまっているために、下部複写帳票部の複写された２枚目や３枚目は、記載内容が記載枠からはみ出してしまうことが多かった。
【０００３】
そこで、複写シートに文字などを記入する際に、下敷き等の挿入を必要としない複写層を備えた冊子が提供されている（特許文献１参照）。
特許文献１では、表面に記載欄を備えた複写シートと、その下に配置された被複写シートとを１組の複写セットとし、上記複写シートと被複写シートとの対向面のいずれか一方に感圧式複写層を設け、上記複写セットを複数組綴じて冊子状とし、１組の複写セットを１ページとして開いた状態において、綴じ部を境にして表紙側に位置するページに複写シートの表面が位置し、反対側ページに被複写シートの裏面が位置する構成にするとともに、上記複写セットから上記感圧式複写層を設けた方のシートを分離可能としたものである。
【０００４】
【特許文献１】特開２００４−１２５９号公報
【発明の開示】
【発明が解決しようとする課題】
【０００５】
特許文献１の発明は、複写シートに文字などを記入する際に下敷き等の挿入を必要としないものであるが、使用する際に広いテーブルを必要としたり、特殊な使用方法であるために使用方法が判り難いという課題がある。
【課題を解決するための手段】
【０００６】
前記課題を解決するために、本発明の複写帳票付き冊子の第一の発明は、一冊の中に、異種の複写帳票部が一端部で複数綴じ合わされた複写帳票付き冊子であって、上部に配置された複写帳票部と下部に配置された複写帳票部の間に非複写帳票部が配置されたことを特徴とするものである。
【０００７】
また、第二の発明は、第一の発明において、非複写帳票部は、坪量換算で８２ｇ／ｍ2以上の紙５枚以上で構成させたことを特徴とするものである。
【０００８】
また、第三の発明は、第一，第二何れかの発明において、さらに、複写帳票付き冊子の最下部に坪量１５７ｇ／ｍ2以上の最下紙片を配置させたことを特徴とするものである。
【発明の効果】
【０００９】
１）第一の発明のように、一冊の中に、異種の複写帳票部が一端部で複数綴じ合わされた複写帳票付き冊子であって、上部に配置された複写帳票部と下部に配置された複写帳票部の間に非複写帳票部が配置されたことによって、上部に配置された複写帳票部に必要事項を記載したときに、下敷きを使用しなくても、下部に配置された複写帳票部に上部に記載した情報が複写されることがない。
また、帳票の使用方法を特別に説明する必要がない。
２）また、第二の発明のように、第一の発明において、非複写帳票部は、坪量換算で８２ｇ／ｍ2以上の紙５枚以上で構成させたことによって、下部の複写帳票に上部の記載情報が複写されることをより完全に防止することができる。
３）また、第三の発明のように、第一，第二何れかの発明において、さらに、複写帳票付き冊子の最下部に坪量１５７ｇ／ｍ2以上の最下紙片を配置させたことによって、複写帳票部、特に下部に配置された複写帳票部が横にずれることがないために、一枚目に記載した情報を二枚目以下の複写帳票の正しい位置に記載することができる。
【発明を実施するための最良の形態】
【００１０】
以下、図面を参照して本発明の複写帳票付き冊子について詳細に説明する。
図１は、本発明の複写帳票付き冊子について説明するための図，図２は、図１のＡ−Ａ線断面図，図３は、従来の複写帳票付き冊子と記載情報のずれについて説明するための図，図４は、本発明の複写帳票付き冊子と記載情報のずれについて説明するための図，である。
【００１１】
図１を参照して、本発明の複写帳票付き冊子について保険申込書の例で説明する。
図１に示す複写帳票付き冊子１は、図示しないが、一冊の中に、異種の複写帳票部が一端部で、複数綴じ合わされた複写帳票付き冊子構造になっている。
複写帳票付き冊子１の上部に配置された複写帳票部（以下、上部複写帳票部という）に必要情報を記載する際に下敷きなどを挿入する必要がないように、上部複写帳票部と下部に配置された複写帳票部（以下、下部複写帳票部という）の間に非複写帳票部を配置させている。
前記非複写帳票部は、坪量換算で８２ｇ／ｍ2以上の紙５枚以上で構成させている。
また、記載した情報が記載枠からはみ出さないように複写帳票付き冊子の最下部に坪量１５７ｇ／ｍ2以上の厚紙（最下紙片）を配置し一緒に綴じ合わせている。
【００１２】
「○○保険申込書」の最上部の紙片には、この冊子がどのようなもので、どのような情報をどのように記載するか印刷されている。
最上部の紙片の裏側には上部複写帳票部が綴じ部２によって綴じ合わされている。上部複写帳票部の下には、非複写帳票部が、さらにその下には、下部複写帳票部が綴じ部２によって綴じ合わされている。
また、複写帳票付き冊子１を構成している複数の複写帳票部と非複写帳票部には切取りミシン３が形成されており、必要事項を記載した複写帳票部を正しく切り離されるようになっている。
複写帳票付き冊子１の最上紙片には、複写帳票部に印刷されている番号と同じ番号（図示せず）が通常帳票管理用番号として印刷されている。
複写帳票付き冊子１の最上紙に記載の内容を上部複写帳票部のトップ紙に記載して、最上紙を省略することもできる。
【００１３】
図２を参照して、図１のＡ−Ａ線断面について説明する。
図１でも説明したように、複写帳票付き冊子１は、前述の冊子の内容に関する説明書きが印刷された最上紙片１１が、その下部に上部複写帳票部１２、その下部に非複写帳票部１３が、その下部に下部複写帳票部１４が、複写帳票付き冊子１の一端に設けられた綴じ部２で綴じ合わされた構造になっている。
また、複写帳票付き冊子１を構成している最上紙片，上部及び下部複写帳票部，非複写帳票部には切取りミシン３が形成されており、必要事項を記載した複写帳票部（上部複写帳票部又は下部複写帳票部、または、両方の複写帳票部）を正しく切り離されるようになっている。
【００１４】
前述のように最上紙片１１は、必要に応じて設けることができるようになっている。
最上紙片１１を設けた場合は、その下部に綴じ合わされている複写帳票部を汚れや破損から護ることができる。
【００１５】
図２でわかるように、非複写帳票部１３が存在することによって上部複写帳票部１２に必要事項を記載したときに下部複写帳票部に記載した内容が複写されることがない。
即ち、複写帳票部に必要情報を記載する際に下敷きなどを挿入する必要がない。
前記非複写帳票部１３を坪量換算で８２ｇ／ｍ2以上の紙５枚以上で構成させることによって、下部複写帳票部には複写されないことが、実験によって確認されている。
また、後述するが記載した情報が所定の枠内からはみ出さないように複写帳票付き冊子１の最下部に坪量１５７ｇ／ｍ2以上の厚紙（最下紙片１５）を配置することができるようになっている。
【００１６】
非複写帳票部１３には、保険契約を行う上での約款や、複写帳票部１２，１４に必要事項を記載する上での注意事項などが印刷されている。
申込書を提出した後、非複写帳票部１３は申込者によって保管される。
必要が合って、非複写帳票部１３に坪量８２ｇ／ｍ2以上の厚い紙片を使用する場合は、他の非複写帳票紙片に坪量８２ｇ／ｍ2以下の薄い紙片を使用することができる。
また、図では、上部複写帳票部１２及び下部複写帳票部１４が三枚構成で表示されているが必要に応じて二枚構成，四枚構成とすることができる。
複写構造部には、ノーカーボン紙による複写構造を使用しても、プリントカーボンによる複写構造を使用してもよい。
【００１７】
図３を参照して、従来の複写帳票付き冊子と記載情報のずれについて説明する。
図２に示す複写帳票付き冊子１に最下紙片１５が形成されていない場合、複写帳票部１４を開いて必要事項を記載しようとすると、図３に示すように上部に形成されている帳票（最上紙片１１，上部複写帳票部１２，非複写帳票部１３）によって、下部複写帳票部１４の一枚目１４１と２枚目１４２の紙片が引っ張られて、「ずれ」が生じ、下部複写帳票部１４の一枚目１４１に記載した内容が、下部複写帳票部１４の二枚目１４２、三枚目１４３の正しい位置に記載されない。
【００１８】
予め、切取りミシン（図示せず）の部分で切り離して記載すれば、ずれによるトラブルは解消されるが、複写帳票が固定されていないために、さらに「ずれ」が生じやすい。
【００１９】
図４を参照して、本発明の複写帳票付き冊子と記載情報のずれについて説明する。
図４に示す複写帳票付き冊子１には、坪量１５７ｇ／ｍ2以上の厚紙による最下紙片１５が形成されている。図３で判るように、下部複写帳票１４が綴じ部の接着剤２によって厚紙による最下紙片１５に固定されていることによって、複写帳票部１４が変形することはない。
下部複写帳票部１４の一枚目１４１と２枚目１４２の紙片が引っ張られることがないことによって、下部複写帳票部１４の一枚目１４１に記載した内容が、二枚目１４２，三枚目１４３に正しく複写される。
【００２０】
（材料）
図２を参照して、本発明の複写帳票付き冊子に使用される材料の一例について説明する。
複写帳票付き冊子１に使用される最上紙片１１，非複写帳票部１３の基材として、上質紙，中質紙，下級紙，色上質紙等の非塗工紙、アート紙，コート紙，軽量コート紙等の塗工紙、エンボス紙，キャストコート紙，クラフト紙，各種プラスチックフィルム等から、冊子の内容に適合する材料を選択する。
非複写帳票部１３の基紙の選定に当たっては、基紙の坪量の合計が前述のように８２ｇ×５／ｍ2以上となるようにする。
上部複写帳票部１２，下部複写帳票部１４には、前述のようにノーカーボン紙やプリントカーボン紙を使用する。
綴じ部に使用する接着剤２は、例えば、アクリル系樹脂，ビニル系樹脂，ポリエステル系樹脂，ウレタン系樹脂，アミド系樹脂，エポキシ系樹脂，ゴム系樹脂，アイオノマー系樹脂等の、公知の接着剤の中から選択して使用する。
【産業上の利用可能性】
【００２１】
各種申込用紙が綴じ合わされた複写帳票付き冊子に利用できる。
【図面の簡単な説明】
【００２２】
【図１】本発明の複写帳票付き冊子について説明するための図である。
【図２】図１のＡ−Ａ線断面図である。
【図３】従来の複写帳票付き冊子と記載情報のずれについて説明するための図である。
【図４】本発明の複写帳票付き冊子と記載情報のずれについて説明するための図である。
【符号の説明】
【００２３】
１      複写帳票付き冊子
２      綴じ部，接着剤
３      切取りミシン
１１    最上紙片
１２    上部複写帳票部
１３    非複写帳票部
１４    下部複写帳票部
１５    最下紙片
１４１  複写帳票の一枚目
１４２  複写帳票の二枚目
１４３  複写帳票の三枚目
【図１】
2009248519.tif 000003
【図２】
2009248519.tif 000004
【図３】
2009248519.tif 000005
【図４】
2009248519.tif 000006